(57)【特許請求の範囲】
【請求項１】
複数の回路部品を収納し、底面部に金属底板を配置するケース本体と、
前記ケース本体と一体に形成されるＡＣ入力端子台及びＡＣ出力端子台と、
前記ＡＣ入力端子台及び前記ＡＣ出力端子台に搭載され、電線を着脱可能なねじなし端子と、
前記電線を挿入する開口部を有し、前記ねじなし端子を覆う端子カバーと、
を備え、
前記ねじなし端子は、
前記ケース本体の側面部内壁に面して配置され、前記電線の挿入方向と垂直方向に突起部が形成された接続板と、
前記接続板と一体に形成され、前記回路部品に接続される導体板と、
前記ケース本体側面部に対向して配置され、挿入された前記電線を前記突起部に押圧する屈曲した平板状の接圧ばねと、
前記電線の挿入位置と略平行に配置され、押下操作により前記接圧ばねを前記挿入された電線から離す方向に変位させて前記押圧を解除するリリースボタンと、
を設け、
前記端子カバーは、前記リリースボタンをガイドすると共に外部から操作可能とする開口部を設けたことを特徴とするノイズフィルタ。
【請求項２】
前記ケース本体は、前記ねじなし端子を搭載したアース端子台を備え、当該ねじなし端子の導体板は、前記回路部品に代えて前記金属底板に接続されることを特徴とする請求項１に記載のノイズフィルタ。
【請求項３】
前記接圧ばねは、一端側を前記導体板の一部に固定し、他端を前記挿入された電線の引き抜きに対して食い込む方向に配置したことを特徴とする請求項１に記載のノイズフィルタ。
【請求項４】
前記ねじなし端子は、前記接圧ばねを２個隣接して前記導体板の一部に固定すると共に、前記隣接した接圧ばねの中央部に前記リリースボタンを配置し、前記リリースボタンの押下操作により前記隣接した接圧ばねを同時に変位可能としたことを特徴とする請求項３に記載のノイズフィルタ。
【請求項５】
前記リリースボタンは、前記押下操作時に、側面が前記接続板に接してガイドされるように配置したことを特徴とする請求項１に記載のノイズフィルタ。
【請求項６】
前記リリースボタンは、外部から操作される端面に、十字形状の溝を設けたことを特徴とする請求項１に記載のノイズフィルタ。
【請求項７】
前記リリースボタンは、前記挿入された電線と隣接する側に、前記リリースボタンの外部方向への抜けを防止するストッパ部を設けたことを特徴とする請求項１に記載のノイズフィルタ。
【請求項８】
前記ケース本体は、前記接続板が配置された側壁に、導通チェック用のチェック孔を設けたことを特徴とする請求項１又は２に記載のノイズフィルタ。
【発明の詳細な説明】
【技術分野】
【０００１】
本発明は、一体型のケースによって構成された端子台の電線接続インターフェイスを、ねじなし端子構造としたノイズフィルタに関する。
【背景技術】
【０００２】
電源ラインや通信ライン等を介して外部から電子機器内に侵入するノイズにより電子機器が誤動作することを防止するために、コイルとコンデンサで構成されるノイズフィルタが使用され、電子機器の安定な動作を行ううえで不可欠なデバイスである。
【０００３】
従来、この種のノイズフィルタは、ＡＣ入力端子台とＡＣ出力端子台を一体に形成したケース本体にコモンモードチョークコイル、Ｘコンデンサ（アクロス・ザ・ライン・コンデンサ）及びＹコンデンサ（ライン・バイパス・コンデンサ）を組み込んだ状態でケースカバーを装着する構造としている。ＡＣ入力端子台とＡＣ出力端子台には外部からの電線を接続する。
【０００４】
図１１は、特許文献１に示された従来のノイズフィルタ構造の一例を示した斜視図である。ノイズフィルタ１００は、ケース本体１１２と、その底面部に金属底板１２６、上面部にカバー１１０が取り付けられ、ケース本体１１２の両端部にＡＣ入力端子台１２０及びＡＣ出力端子台１２２が設けられている。電線の接続は、ＡＣ入力端子台１２０及びＡＣ出力端子台１２２に設けられたねじ１３０と座金１３２により端子１３４に、電線の導線をねじ締めして接続される。アース端子１２４は、金属底板１２６の端部をコの字状に折り曲げて、上部水平面の座部にねじ孔を設け、ねじによりアースとなる電線の先端をねじ締めして接続する。
【０００５】
図１２は、電線を端子に接続した状態を説明する図である。ＡＣ入力端子台１２０に設けられた接続部に電線１４０を接続する場合に、電線１４０の先端部の絶縁被膜をワイヤストリッパ等で取り除き、圧着端子１４２を取り付ける。そして、熱収縮チューブ等の絶縁カバー１４４で覆う。圧着端子１４２にはねじ１３０を通し、圧着端子１４２を座金１３２と端子１３４に挟んでねじ締めする。
【０００６】
アース端子は、ねじ締めする際に端子部に捩り力が作用するため、特許文献２では、端子部の座部の先端側面は端子台本体の側面に形成した壁部に当接し、また端子部の座部の金具を締め付けようとする方向の一側側面は、ケース部材の側面に形成した壁部に当接して、それ以上捩じられなくする構造を開示している。
【０００７】
このような電線を接続するねじ式端子台に対して、簡易な接続方法として、ねじなし端子が知られている。例えば特許文献３には、組み立てが容易であり、電線を挿入した状態でもリリースレバーの位置が不安定となることのないねじなし端子が開示されている。また複数個のリリースレバーを共通の固定部で連結し、また、複数個の接圧ばねを共通の連結部で連結することにより、多連式の場合にも部品点数を削減できる構造である。
【先行技術文献】
【特許文献】
【０００８】
【特許文献１】特開２００７−２８８７１０号公報
【特許文献２】特許４２２５２２７号公報
【特許文献３】特開２０００−２２３１７１号公報
【発明の概要】
【発明が解決しようとする課題】
【０００９】
しかしながら、このような従来のノイズフィルタの電線の接続にあっては、ねじ式端子構造によりねじで締めて接続しているが、電線に圧着端子を取り付けなければならず、圧着端子の部品コストがかかる他、結線作業においてねじを回す必要があり、さらにメンテナンスではねじの増し締め作業も必要とされる。
【００１０】
また、ねじ式端子は一般に安全性を保つために端子に端子カバーを被せるが、電線接続の作業時には端子カバーを開き、結線終了後に端子カバーを閉じる必要があり、電線接続の導通チェックにも端子カバーの開閉をしなければならず、作業工程が複雑となっている。この他、ビスガレ不良が発生する可能性があり、発生した場合はねじの交換をしなければならず、専用工具を必要とする。
【００１１】
圧着端子を使用した電線の結線では、電線を引き出すためのスペース、即ち、電線を横に引き出すため、側面部に作業エリアを設けなければならない。
【００１２】
簡易な結線構造としてのねじなし端子は、端子と接圧ばねとリリースボタンとで構成され、リリースボタンは一般に接圧ばねの屈曲部上部に配置され、接圧ばねの幅方向の中心部を押下するような構造となっているが、ノイズフィルタ等の小型の電子機器に組み込むには、狭いスペースにどのような構造で組み込むかが問題となる。
【００１３】
本発明は、上記問題点を解決し、狭いスペースにねじなし端子を組み込み、導通チェックの容易なノイズフィルタを提供することを目的としている。
【課題を解決するための手段】
【００１４】
本発明は、複数の回路部品を収納し、底面部に金属底板を配置するケース本体と、ケース本体と一体に形成されるＡＣ入力端子台及びＡＣ出力端子台と、ＡＣ入力端子台及びＡＣ出力端子台に搭載され、電線を着脱可能なねじなし端子と、電線を挿入する開口部を有し、ねじなし端子を覆う端子カバーと、を備え、ねじなし端子は、ケース本体の側面部内壁に面して配置され、電線の挿入方向と垂直方向に突起部が形成された接続板と、接続板と一体に形成され、回路部品に接続される導体板と、ケース本体側面部に対向して配置され、挿入された電線を突起部に押圧する屈曲した平板状の接圧ばねと、電線の挿入位置と略平行に配置され、押下操作により接圧ばねを挿入された電線から離す方向に変位させて押圧を解除するリリースボタンと、を設け、端子カバーは、リリースボタンをガイドすると共に外部から操作可能とする開口部を設けたことを特徴とするノイズフィルタである。
【００１５】
ケース本体は、ねじなし端子を搭載したアース端子台を備え、当該ねじなし端子の導体板は、回路部品に代えて金属底板に接続される。
【００１６】
接圧ばねは、一端側を導体板の一部に固定し、他端を挿入された電線の引き抜きに対して食い込む方向に配置する。
【００１７】
ねじなし端子は、２本の電線を接続する場合には、接圧ばねを２個隣接して導体板の一部に固定すると共に、隣接した接圧ばねの中央部にリリースボタンを配置し、リリースボタンの押下操作により隣接した接圧ばねを同時に変位可能とする。
【００１８】
リリースボタンは、押下操作時に、側面が接続板に接してガイドされるように配置し、外部から操作される端面に、十字形状の溝を設ける。
【００１９】
リリースボタンは、挿入された電線と隣接する側に、リリースボタンの外部方向への抜けを防止するストッパ部を設ける。
【００２０】
ケース本体は、接続板が配置された側壁に、導通チェック用のチェック孔を設ける。
【発明の効果】
【００２１】
本発明によるねじなし端子構造を備えたノイズフィルタは、電線とリリースボタンを平行に配置しているため、ねじがない分実装面積が小さくでき小型の電子機器への搭載に適した構造である。電線の結線作業も、被覆を除いた電線を差し込むだけで可能であり作業工数が低減する効果がある。
【００２２】
また、電線を上部から差し込むだけの作業であり、圧着端子を使用した場合のような作業エリアも必要としない。さらに、電線をはずす時にもリリースボタンを押すだけで特別な工具を必要としない。ドライバーを利用でリリースボタンを押す場合にも、リリースボタン上部面に十字状の溝があるため、ドライバーの先端部が確実にリリースボタンに嵌合してズレが生じず、作業性が良い。
【００２３】
接続板に対応した位置に導通チェック用のチェック孔を備えているために、完成後の導通チェックが容易に行え、また、ねじが無いためにねじ増し作業が不要で、完成後のメンテナンスフリー化が実現できる。
【図面の簡単な説明】
【００２４】
【図１】本発明によるノイズフィルタの実施形態を示した外観説明図
【図２】本発明によるノイズフィルタに対する結線状態を示した説明図
【図３】図１のケースカバーを外して内部構造を示した説明図
【図４】図３の端子部カバーを外して内部構造を示した説明図
【図５】本発明のノイズフィルタに設けたねじなし端子構造の実施形態を示した断面図。
【図６】図５のねじなし端子構造に設けた複線用ねじなし端子を取り出して示した説明図
【図７】図６を複線用ねじなし端子を逆方向から示した説明図
【図８】図５のねじなし端子構造に設けた単線用ねじなし端子を取り出して示した説明図
【図９】図８の単線用ねじなし端子を逆方向から示した説明図
【図１０】本発明によるノイズフィルタの回路図
【図１１】従来のノイズフィルタ構造を示した説明図
【図１２】従来のノイズフィルタ構造における電線接続状態を示した説明図
【発明を実施するための形態】
【００２５】
本発明によるねじなし端子構造を使用したノイズフィルタの実施形態について、図１〜４を参照しながら説明する。
【００２６】
図１は、本発明によるノイズフィルタの実施形態を示した外観説明図である。ノイズフィルタ８０はケース本体８２の両側にＡＣ入力端子台８６、ＡＣ出力端子台８８及び２つのアース端子台９４−１，９４−２を一体に備え、ケース本体８２に対しケースカバー９２を装着している。ケースカバー９２は、ノイズフィルタ８０の回路部品（図示せず）を覆っている。
【００２７】
ＡＣ入力端子台８６には、入力端子にねじなし端子が搭載され、端子カバー１４−１，１４−２で覆われている。端子カバー１４−１，１４−２には、内部のねじなし端子に外部から電線を接続するためのテーパ状開口部１６−１，１６−２，１６−３，１６−４が備えられている。１つの入力端子に対して２本の電線を接続する構造のため、それぞれの入力端子に対してテーパ状開口部は２つある。さらに、端子カバー１４−１，１４−２には、電線の接続を解除するためのリリースボタン５０−１，５０−２用の開口部があり、リリースボタン５０−１，５０−２の上部面が端子カバー１４−１，１４−２とほぼ同平面に位置している。リリースボタン５０−１を押し下げることで、両端のテーパ状開口部１６−１，１６−２から挿入された２本の電線は同時に解除される。リリースボタン５０−２を押し下げれば、両端のテーパ状開口部１６−３，１６−４から挿入された２本の電線は同時に解除される。
【００２８】
ＡＣ出力端子台８８においても、ＡＣ入力端子台８６と同様な構造となっており、出力端子にねじなし端子が搭載され、端子カバー１４−３，１４−４で覆われている。端子カバー１４−３，１４−４にはテーパ状開口部１６−５，１６−６，１６−７，１６−８が設けられている。さらに、端子カバー１４−３，１４−４にも、電線の接続を解除するためのリリースボタン５０−３，５０−４用の開口部があり、リリースボタン５０−３，５０−４の上部面が端子カバー１４−３，１４−４とほぼ同平面に位置している。
【００２９】
２つのアース端子台９４−１，９４−２についても内部にねじなし端子が搭載され、端子カバー１４−５，１４−６で覆われている。アース端子は、ケース本体８２の底面部にある金属底板８４の一部を屈曲させ、取付ねじ９０でアース端子台９４−１，９４−２内部のねじなし端子と接続している。アース端子も端子カバー１４−５，１４−６で覆われ、それぞれの端子カバー１４−５，１４−６には、電線接続のためのテーパ状開口部１６−９，１６−１０及びリリースボタン５０−５、５０−６用の開口部が備えられている。
【００３０】
電線接続後の導通チェックは、各端子に対応して備えられているチェック孔４６−１，４６−２，４６−３を使用して行われる。
【００３１】
図２は、図１のノイズフィルタ８０に、電線２０−１〜２０−１０を結線した状態を示した図である。ＡＣ入力端子台８６の端子カバー１４−１，１４−２に備えられているテーパ状開口部１６−１，１６−２，１６−３、１６−４からは、入力用の電線２０−１，２０−２，２０−３，２０−４が挿入されている。ＡＣ出力端子台８８の端子カバー１４−３，１４−４に備えられているテーパ状開口部１６−５，１６−６，１６−７，１６−８からは、入力用の電線２０−５，２０−６，２０−７，２０−８が挿入されている。アース端子用の端子カバー１４−５，１４−６のテーパ状開口部１６−９，１６−１０からは、電線２０−９，２０−１０が挿入されている。
【００３２】
いずれの電線２０−１〜２０−１０も、絶縁被膜を取り除き、導体を露出した状態でテーパ状開口部１６の上部から挿入するだけで端子と結線できるため、簡単な作業であり短時間の作業工程で済む。
【００３３】
さらに、結線後の導通チェックは、ＡＣ入力端子台８６及びＡＣ出力端子台８８に備えられているチェック孔４６から、テスターの端子を差し込むだけで検査が可能である。
【００３４】
チェック孔４６−１にテスターの端子を差込めば、もう一方の端子で電線２０−１，２０―２との導通チェックができる。また、チェック孔４６−２にテスターの端子を差込めば、もう一方の端子で電線２０−３，２０−４との導通チェックができる。さらに、アース端子のチェック孔４６−３によりアース用の電線２０−９との導通チェックができる。
【００３５】
図３は、ねじなし端子が搭載された図１のノイズフィルタ８０から、回路部品とケースカバー９２を取り外して内部構造を示した図である。中央部の円筒型スペースには、ノイズフィルタ回路に使用されるコモンモードチョークコイルが収納される。
【００３６】
図４は、図３のノイズフィルタ８０からさらに、ＡＣ入力端子台８６の端子カバー１４−１，１４−２、ＡＣ出力端子台８８の端子カバー１４−３，１４−４及びアース端子台９４−１，９４−２の端子カバー１４−５，１４−６を取り外した図である。ＡＣ入力端子台８６には、２つの端子にそれぞれ1本ずつの電線が接続され、計２本の電線が接続される複線用ねじなし端子１０−１，１０−２が搭載されている。ＡＣ出力端子台８８にもそれぞれの端子に複線用ねじなし端子１０−３，１０−４が搭載されている。アース端子は１本の電線の接続であるため、アース端子台９４−１，９４‐２には、単線用ねじなし端子１２−１，１２−２が搭載されている。
【００３７】
図５は、本発明による複線用ねじなし端子１０の構造を説明する断面図であり、ノイズフィルタ８０のＡＣ入力端子台８６に組み込んで、電線２０を接続した状態を示している。複線用ねじなし端子１０は、接圧ばね３２、接続板３４、導体板３８と接圧ばね３２を押下するリリースボタン５０から構成されている。この基本構造は、単線用ねじなし端子１２も同様である。
【００３８】
ＡＣ入力端子台８６は、ノイズフィルタ８０の端部に設けられており、ＡＣ入力端子台側壁１８の内側に複線用ねじなし端子１０が組み込まれている。ＡＣ入力端子台側壁１８に当接して接続板３４が配置され、接続板３４の一部には、水平方向に突起部３６がある。接続板３４からは導体板３８が一体で形成され、導体板３８は、接続板３４から底面部４２、連結部４０と端子接続部４４から成っている。
【００３９】
導体板３８の連結部４０は、底面部４２から垂直に立ち上がった部分であり、接続板３４と対向した位置にある。この連結部４０に、平板状の接圧ばね３２を固定する。導体板３８及び接圧ばね３２は通常金属材料を使用しており、例えばスポット溶接等で固定する。ただし、接圧バネ３２は必ずしも金属である必要は無く、また、導電性である必要も無い。
【００４０】
接圧バネ３２は、連結部４０で固定され、上部で屈曲して接続板３４方向に斜めに突き出た形状となっている。接圧バネ３２の上部屈曲部は、端子カバー１４の溝部に位置し、屈曲部背面が端子カバー１４の壁面に当接しているため、後方への移動が制限される。接圧バネ３２の先端の角部は、導線２４の引き抜きに対して、導線２４に食い込む力が働いて、導線２４の引き抜きを防止している。
【００４１】
電線２０は、先端部の絶縁被膜２２を取り除き、導線２４を露出して端子カバー１４のテーパ状開口部１６から挿入される。
【００４２】
電線２０の先端部導線２４は、上部から垂直方向にテーパ状開口部１６から挿入されるが、このとき接圧ばね３２を下方に押す。接圧ばね３２は下方斜めに向いているから、容易にバネの反発力に打ち勝ち、導線２４を挿入できる。挿入されたた導線２４は、接圧ばね３２の反発力で接続板３４方向に押圧され、接続板３４にある突起部３６に当接して導線２４と接続板３４との電気的導通状態となる。
【００４３】
電線２０を上方向に引き抜く力が働いても、接圧ばね３２の屈曲部は端子カバー１４の溝部に固定されているから、接圧ばね３２の角部が導線２４に食い込んで、導線２４が引く抜かれることはない。
【００４４】
導線２４を引き抜くときには、電線２０と接続板３４に対して平行に配置されたリリースボタン５０を押し下げる。リリースボタン５０の先端部は、接圧ばね３２の幅方向の中心部より端方向の端部を押して、接圧ばね３２を導線２４から離して押圧を解除する。接圧ばね３２により押圧を解除された導線２０は容易に引き抜くことができる。
【００４５】
電線２０を複線用ねじなし端子１０−１に接続した場合の導通チェックは、ＡＣ入力端子台側壁１８に設けられているチェック孔４６から、テスターの端子を差し込んで接続板３４に当て、容易に導通チェックが行える。
【００４６】
図６は、ＡＣ入力端子台８６及びＡＣ出力端子台８８に使用される複線用ねじなし端子１０の構造を示した図である。ＡＣ入力端子やＡＣ出力端子は、電源容量との関係から２本の電線を接続する場合も多く、図６は、２本の電線を接続するねじなし端子の構造である。
【００４７】
図６において、接続板３４は水平方向に２つの突起部３６−１，３６−２を有し、突起部３６−１，３６−２下方に先端が位置するように、接圧ばね３２−１，３２−２が平行に配置されている。接圧ばね３２−１，３２−２は、接続板３４と対向する位置にある導体板３８の連結部４０に固定されている。導体板３８の先端部には２つの端子接続部４４があり、コモンモードチョークコイルや各コンデンサのリード線とハンダ付けされて電気的に接続される。これらの電子部品は、プリント基板を使用してプリント回路基板の配線部にハンダ付けし、端子接続部４４と電気的に接続してもよい。
【００４８】
リリースボタン５０は、２つの接圧ばね３２−１，３２−２の中央部に配置され、底面部が２つの接圧ばね３２−１，３２−２の端部側に当たる様になっている。このような配置により、１つのリリースボタン５０を押下すると、２つの圧接ばね３２−１，３２−２が同時に押し下げられるため、２つの接圧ばね３２−１，３２−２に対応した２つのリリースボタン５０が必要でなく、１つのリリースボタン５０でよい。このため、省スペース構造のねじなし端子が実現でき、小型の電子機器に容易に搭載可能となる。
【００４９】
また、従来のねじなし端子構造に見られるように、リリースボタン５０を接圧ばね３２−１、３２−２の上部位置に配置した構造に対して、２本の電線２０間にリリースボタン５０を配置する構造としている点に特徴がある。このような構造とすることにより、図６の幅方向に電線２０とリリースボタン５０を配置する従来構造よりも狭い幅でねじなし端子が構成されるため、当然にノイズフィルタ８０の両端に設置されるＡＣ入力端子台８６及びＡＣ出力端子台８８の幅方向の設置スペースを狭くでき、ノイズフィルタ全体として大幅な省スペース構造が実現できる。
【００５０】
リリースボタン５０の上部面には、十字形状の溝５２が設けられている。リリースボタン５０は電線２０の間に配置されており、小さな部品であるために、接続した電線２０を外すときは、汎用的に使用されるドライバーの先端を押し当てて押し下げるのが便利である。ドライバーはプラスとマイナスのドライバーがあるため、いずれのドライバーの先端部を押し当ててもズレが生ずることなくリリースボタン５０に押圧がかかるようにするために設けたのが十字形状の溝５２である。この十字形状の溝５２に、ドライバーの先端部が嵌め合わされて、リリースボタン５０を押下し、接圧ばね３２−１、３２−２を押し下げる。
【００５１】
リリースボタン５０の底部には、ストッパ５４が設けられていて、端子カバー１４のリリースボタン開口部からの抜けを防止している。
【００５２】
図７は、図６の複線用ねじなし端子１０を逆方向から見た図である。リリースボタン５０の底部にあるストッパ５４が無く、平面となっている。この様に、ストッパ５４を片側だけに設けることにより、リリースボタン５０の底面部の幅を狭くでき、高密度実装に適した省スペース構造のリリースボタン５０とすることができる。
【００５３】
図８は、単線用ねじなし端子１２の構造を示した図である。単線用ねじなし端子１２は、主にアース端子のねじなし端子として使用する。
【００５４】
単線用ねじなし端子１２が図６の複線用ねじなし端子１０と異なるのは、接圧ばね３２が１つであることは勿論、導体板３８が接続板３４と垂直方向に配置された構造となっていることである。そして、導体板３８にはねじ孔５６が設けられている。これは、金属底板に接続されるアース端子は、金属底板の端部を垂直方向に屈曲させて導体板３８に当接して、ねじで固定するためである。
【００５５】
また、接圧ばね３２は、導体板３８に対して垂直方向に固定され、接続板３４と対抗している。固定強度は、接圧ばね３２の下部と背面部にＡＣ入力端子台内部の押し当て部により補強されている。
【００５６】
図９は、図８の単線用ねじなし端子１２を逆方向から見た図である。単線用ねじなし端子１２においても、複線用ねじなし端子１０と同様に、リリースボタン５０の底部にあるストッパ５４は片側だけである。図８では、電線２０側にストッパ５４を設けているので、逆側は平面となり、導体板３８に近接して配置することができたが、単線用ねじなし端子１２においても同様に高密度実装に適した省スペース構造のリリースボタン５０とすることができる。
【００５７】
図１０は、本発明のノイズフィルタ８０の実施形態で使用したノイズフィルタ回路６０である。ＡＣ入力端子６２ａ，６２ｂとＡＣ出力端子７０ａ，７０ｂの間には、コモンモードチョークコイル６６を挟んで、Ｘコンデンサ６４をライン間に接続し、各ラインはＹコンデンサ６８を介して接地されている。ライン間には保護用のブリーダ抵抗７４を挿入している。コモンモードチョークコイル６６はＡＣ入力端子６２ａ，６２ｂとＡＣ出力端子７０ａ，７０ｂの間に接続されて低域のコモンモードノイズを減衰させる。
【００５８】
Ｘコンデンサ６４はコモンモードチョークコイル６６の入力側及び出力側のライン間に接続されて低域のノーマルモードノイズを減衰させる。Ｙコンデンサ６８はライン・グランド間に接続されて高域のコモンモードノイズとノーマルモードノイズを減衰させる。アース端子７２は、ケース本体の底部に設けられている金属底板と接続されている。
【００５９】
ノイズフィルタ８０の回路部品は、それぞれのリード線がハンダ付けにより電気的に接続され複線用ねじなし端子１０の端子接続部４４に接続している。また、回路部品はプリント基板を使用して配線してもよいことは勿論である。この場合は、プリント基板に端子接続部４４を通す開口部を備え、端子接続部４４をこの開口部に通して配線部とハンダ付けして電気的に接続すると共に、プリント基板を端子接続部４４により固定することになる。プリント基板は、ケースカバー９２により覆われ保護される。
【００６０】
以上、本発明の実施形態を説明したが、本発明はその目的と利点を損なうことのない適宜の変形を含み、更に、上記の実施形態よる限定は受けない。
【符号の説明】
【００６１】
１０，１０−１〜１０−４  複線用ねじなし端子
１２，１２−１，１２−２  単線用ねじなし端子
１４，１４−１〜１４−６  端子カバー
１６，１６−１〜１６−１０  テーパ状開口部
１８  ＡＣ入力端子台側壁
２０，２０−１〜２０−１０  電線
２２  絶縁被膜
２４  導線
３２，３２−１，３２−２  接圧ばね
３４  接続板
３６，３６−１，３６−２  突起部
３８  導体板
４０  連結部
４２  底面部
４４  端子接続部
４６，４６−１，４６−２，４６−３  チェック孔
５０，５０−１〜５０−６  リリースボタン
５２  十字形状の溝
５４  ストッパ
６０  ノイズフィルタ回路
６２ａ，６２ｂ  ＡＣ入力端子
６４  Ｘコンデンサ
６６  コモンモードチョークコイル
６８  Ｙコンデンサ
７０ａ，７０ｂ  ＡＣ出力端子
７２  アース端子
７４  ブリーダ抵抗
８０  ノイズフィルタ
８２  ケース本体
８４  金属底板
８６  ＡＣ入力端子台
８８  ＡＣ出力端子台
９０  取付ねじ
９２  ケースカバー
９４  アース端子台
【図１】
0005581176.tif 000002
【図２】
0005581176.tif 000003
【図３】
0005581176.tif 000004
【図４】
0005581176.tif 000005
【図５】
0005581176.tif 000006
【図６】
0005581176.tif 000007
【図７】
0005581176.tif 000008
【図８】
0005581176.tif 000009
【図９】
0005581176.tif 000010
【図１０】
0005581176.tif 000011
【図１１】
0005581176.tif 000012
【図１２】
0005581176.tif 000013